(57)【要約】本発明は、合成アニオン性界面活性剤と脂肪酸セッケンとヒドロキシ酸塩とから成り、最小速度で棒状材料の押出ができること、及び、棒状材料及び方法がヒドロキシ酸塩対カルサイト充填剤の特定の比によって定義されていることを特徴とする棒状材料及びその製造方法を開示している。【特許請求の範囲】
【請求項１】
（ａ）１０−５０重量％のアニオン性界面活性剤と、
（ｂ）５−３０重量％の脂肪酸セッケンと、
（ｃ）２−２０重量％のヒドロキシ酸塩と、
から成り、実験室規模の押出機において少なくとも１５０グラム／分の速度で棒状材料の押出ができること、及び、カルサイト充填剤対ヒドロキシ酸塩の比が約０．７５：１−約２：１よりも大きくなるような十分なカルサイト充填剤が棒状材料に含まれていることを特徴とする棒状組成物。
【請求項２】
１５−４５重量％のアニオン性界面活性剤を含むことを特徴とする請求項１に記載の棒状材料。
【請求項３】
６−２５重量％の脂肪酸セッケンを含むことを特徴とする請求項１または２に記載の棒状材料。
【請求項４】
ヒドロキシ酸塩がアルファまたはベータヒドロキシ酸塩であることを特徴とする請求項１から３のいずれか一項に記載の棒状材料。
【請求項５】
カルサイト充填剤対ヒドロキシ酸塩の比が約０．８０：１−約２：１であることを特徴とする請求項１から４のいずれか一項に記載の棒状材料。
【発明の詳細な説明】
【技術分野】
【０００１】
本発明は、合成アニオン性界面活性剤（例えば直接エステル化脂肪酸イセチオネート即ちＤＥＦＩ）と該界面活性剤よりも低いレベルの脂肪酸セッケン（アニオン性界面活性剤／セッケン系）とから成る棒状材料に関する。本発明は更に、アルファまたはベータヒドロキシ酸塩（例えば、乳酸ナトリウムのようなアルファまたはベータヒドロキシ酸塩）を混和し、このようなヒドロキシ酸塩の混和を試みた当業界の別の棒状材料に比べて加工適性を著しく向上させる方法に関する。
【０００２】
アルファまたはベータヒドロキシ酸塩（例えば、乳酸ナトリウムまたはグリコール酸カリウム）を含有する製品化可能な身体洗浄用棒状材料を製造することは従来は難しい作業であった。その理由は、塩とセッケンまたはアニオン性界面活性剤との間に不利な相互作用が生じるからである。その結果として、例えばアルファヒドロキシ酸（ＡＨＡ）またはＡＨＡ塩を含有する配合物が極度に軟質で粘着性で加工不安定になる。
【０００３】
本発明においては、ヒドロキシ酸塩（配合物を軟質で粘着性にする）対カルサイト充填剤（配合物を硬質で脆砕性にする）の比を調節することによってはるかに加工性のよいアニオン性界面活性剤／セッケン配合物を製造できるという予想外の知見が得られた。
【背景技術】
【０００４】
アニオン性界面活性剤とセッケンとヒドロキシ酸塩（例えばＡＨＡ塩）とを含有する棒状材料は広く知られている。例えばＪｏｈｎｓｏｎらの米国特許第４，０４６，７１７号は、乳酸塩を含有するかまたは乳酸塩とグルタミン酸塩との混合物を含有する湿潤性固形洗剤（セッケンも含意）を開示している。本発明とは対照的に、加工適性を改善するための充填剤（例えば、カルサイト充填剤）についても、または、充填剤とアルファヒドロキシ酸（ＡＨＡ）との相互作用についても全く言及されていない。
【０００５】
同様に、Ｈａｌｌの米国特許第４，２６８，４２４号は、界面活性剤とセッケンと種々の湿潤剤とを含有する棒状製品を開示している。しかしながら、充填剤、特にカルサイトのような充填剤についても、または、充填剤とヒドロキシ酸塩との相互作用についても全く言及されていない。
【０００６】
Ｆａｒｒｅｌｌらの米国特許第５，９８１，４５１号は、アニオン性界面活性剤（例えばＤＥＦＩ）／セッケンヌードルをセッケン及び充填剤と配合するためのドライミックス法を開示している（本発明は一般にメルト法として行われる）。ヒドロキシ酸塩についてはどこにも言及されていない。
【０００７】
出願人らはまた、ヒドロキシ酸または塩を含有する配合物の材料特性を修正することに関する幾つかの特許を出願した。本願と同日に出願したＦａｉｒらの同時係属出願において出願人らは、比較的高いレベルのヒドロキシ酸及び／または塩を合成界面活性組成物に混和することを開示している。
【０００８】
該組成物は、一般に約４−５、好ましくは４に近いｐＨを有しており、酸性ｐＨを有するという理由で本発明の組成物と違ってセッケンを含有することができない。更に、これらの組成物はｐＨの値が低いという理由でカルサイトを許容できなかった。前記Ｆａｉｒらは、アニオン性界面活性剤とヒドロキシ酸またはその塩とを含有する配合物中では、ポリオールエステル（例えば、グリセロールモノラウレート）を添加することによってヒドロキシ酸またはその塩の押出適性が改善される（例えば、粘着性が低下する）ことについては十分に記載している。
【０００９】
やはり本願と同日に出願された別の出願で出願人らは、固形セッケン中にヒドロキシ酸を混和し易くするためにモノグリセリド（グリセロールモノラウレート）を使用することを開示している。しかしながら該出願は、加工性を向上させるためにカルサイト充填剤を使用することは開示していない。また、該発明は固形セッケンに関する。
【００１０】
出願人らが検索した従来技術はいずれも、アニオン性界面活性剤／セッケン／ヒドロキシ酸塩（例えば、乳酸ナトリウム）から成る配合物中のカルサイト充填剤対アルカリ金属ヒドロキシ酸塩（アルファまたはベータ）の比を調整することによって加工性を有意に改善できることは全く開示していない。
【００１１】
第一の実施態様において、本発明は、ヒドロキシ酸塩を含む棒状材料中のヒドロキシ酸塩対カルサイト充填剤の比を調整することによって該棒状材料の加工適性（例えば、押出速度及び／または品質性能即ち粘着性の低下傾向によって測定）を有意に向上させる棒状組成物及び方法に関する。
【００１２】
より特定的には本発明は、
（ａ）１０−５０重量％、好ましくは１５−４５重量％のアニオン性界面活性剤（例えば、直接にエステル化された脂肪酸イセチオネート）と、
（ｂ）５−３０重量％、好ましくは６−２５重量％の脂肪酸セッケン（アニオン性界面活性剤対セッケンの比は一般に１：１よりも大きい）と、
（ｃ）２−２０重量％、好ましくは３−１５重量％のヒドロキシ酸塩と、
から成り、実験室規模の押出機において少なくとも１５０グラム／分の速度で棒状材料の押出ができること、及び、カルサイト充填剤対ヒドロキシ酸塩の比が約０．７５：１以上、好ましくは、０.８：１−２：１、より好ましくは０.９：１−２：１となるような十分なカルサイト充填剤（例えば、１−３０％、好ましくは２−２５％）が棒状材料に含まれていることを特徴とする棒状組成物を包含する。
【００１３】
アニオン性界面活性剤及び／またはセッケンの量及び塩のレベル次第でこれらの成分の比は場合毎に変更されるであろうが、一般には約１：１の範囲である。
【００１４】
第二の実施態様において、本発明は、カルサイト充填剤対ヒドロキシ酸塩の比を約０．７５：１−２：１の範囲内で調節することによって押出性の改善された棒状材料を製造する方法に関する。
【００１５】
本発明は、優れた加工性／押出適性を維持しながらアニオン性界面活性剤／セッケン含有組成物に増量したヒドロキシ酸塩を確実に取込ませる棒状組成物及び方法に関する。組成物及び方法は、ヒドロキシ酸塩対カルサイト充填剤の比の調整に依存する。即ち、ヒドロキシ酸塩の添加量次第では棒状材料が過度に粘着性になり加工し難くなるであろう。逆に、カルサイト充填剤の使用量が多すぎると、脆くて砕け易い棒状材料が製造されるであろう。
【００１６】
１つの特徴によれば、組成物は、
（ａ）１０−５０重量％のアニオン性界面活性剤（１つまたは複数の別の界面活性剤が併用されてもよい）と、
（ｂ）５−３０重量％の脂肪酸セッケン（アニオン性界面活性剤対セッケンの比は一般に１：１よりも大きい）と、
（ｃ）２−２０重量％のヒドロキシ酸塩と、
から成り、カルサイト充填剤対ヒドロキシ酸塩の比が０．７５：１−２：１となるような十分なカルサイト充填剤が棒状材料に含まれていることを特徴とする。
【００１７】
棒状材料は実験室規模の押出機（例えば、７．５ｃｍ直径の二段式Ｗｅｂｅｒ  Ｓｅｅｌａｎｄｅｒ  Ｌａｂｏｒａｔｏｒｙ  Ｐｌｏｄｄｅｒ）で測定すると少なくとも１５０グラム／分の速度で押出できる。
【００１８】
種々の成分（任意成分も含めて）を以下に説明する。
【００１９】
本発明の方法によって製造される棒状材料は、１０−５０重量％、好ましくは１５−４０重量％のアニオン性界面活性剤を含む。
【００２０】
使用し得るアニオン性の洗浄用界面活性剤は、脂肪族スルホネート類、例えば、第一アルカン（例えば、Ｃ８−Ｃ２２）スルホネート、第一アルカン（例えば、Ｃ８−Ｃ２２）ジスルホネート、Ｃ８−Ｃ２２アルケンスルホネート、Ｃ８−Ｃ２２ヒドロキシアルカンスルホネートまたはアルキルグリセリルエーテルスルホネート（ＡＧＳ）；または、芳香族スルホネート類、例えばアルキルベンゼンスルホネートでよい。
【００２１】
アニオン性界面活性剤はまた、アルキルスルフェート（例えば、Ｃ１２−Ｃ１８のアルキルスルフェート）でもよく、または、アルキルエーテルスルフェート（アルキルグリセリルエーテルスルフェートなど）でもよい。アルキルエーテルスルフェートのうちでは、式：
ＲＯ（ＣＨ２ＣＨ２Ｏ）ｎＳＯ３Ｍ
を有するものが好ましく、式中の、Ｒは８−１８個の炭素、好ましくは１２−１８個の炭素を有しているアルキルまたはアルケニルを表し、ｎは１．０よりも大きい値、好ましくは３よりも大きい値の平均値を有しており、Ｍはナトリウム、カリウム、アンモニウムまたは置換アンモニウムのような可溶化カチオンを表す。ラウリルエーテル硫酸アンモニウム及びラウリルエーテル硫酸ナトリウムが好ましい。
【００２２】
アニオン性界面活性剤はまた、アルキルスルホスクシネート（モノ−及びジアルキルなど、例えば、Ｃ６−Ｃ２２のスルホスクシネート）；アルキル及びアシルタウレート、アルキル及びアシルサルコシネート、スルホアセテート、Ｃ８−Ｃ２２アルキルホスフェート及びホスフェート、アルキルホスフェートエステル及びアルコキシルアルキルホスフェートエステル、アシルラクテート、Ｃ８−Ｃ２２モノアルキルスクシネート及びマレエート、スルホアセテート、アルキルグルコシド及びアシルイセチオネートでもよい。
【００２３】
スルホスクシネートは式：
Ｒ４Ｏ２ＣＣＨ２ＣＨ（ＳＯ３Ｍ）ＣＯ２Ｍ
を有しているモノアルキルスルホスクシネートでもよく、また、式：
Ｒ４ＣＯＮＨＣＨ２ＣＨ２Ｏ２ＣＣＨ２ＣＨ（ＳＯ３Ｍ）ＣＯ２Ｍ
を有しているアミド−ＭＥＡスルホスクシネートでもよい。式中のＲ４はＣ８−Ｃ２２の範囲のアルキルであり、Ｍは可溶化カチオンである。
【００２４】
サルコシネートは一般に式：
Ｒ１ＣＯＮ（ＣＨ３）ＣＨ２ＣＯ２Ｍ
によって表され、式中のＲ１はＣ８−Ｃ２０の範囲のアルキルであり、Ｍは可溶化カチオンである。
【００２５】
タウレートは一般に式：
Ｒ２ＣＯＮＲ３ＣＨ２ＣＨ２ＳＯ３Ｍ
によって表され、式中のＲ２はＣ８−Ｃ２０の範囲のアルキルであり、Ｒ３はＣ１−Ｃ４の範囲のアルキルであり、Ｍは可溶化カチオンである。
【００２６】
Ｃ８−Ｃ１８のアシルイセチオネートが特に好ましい。これらのエステルは、アルカリ金属イセチオネートと、６−１８個の炭素原子を有しており２０未満のヨウ素価を有している混合脂肪族脂肪酸との反応によって得られる。混合脂肪酸の少なくとも７５％が１２−１８個の炭素原子を有しており、２５％以下が６−１０個の炭素原子を有している。
【００２７】
アシルイセチオネートが存在するとき、アシルイセチオネートは一般に棒状組成物の全量の約１０重量％−約７０重量％の範囲であろう。好ましくはこの成分が約３０％−約６０％存在する。
【００２８】
アシルイセチオネートはＩｌａｒｄｉらの米国特許第５，３９３，４６６号に記載されているようなアルコキシル化イセチオネートでよい。該特許の記載内容は参照によって本発明に含まれるものとする。この化合物は一般式：
【００２９】
【化１】
2004524430.tif 000002
を有しており、式中の、Ｒは８−１８個の炭素を有しているアルキル基であり、ｍは１−４の整数であり、Ｘ及びＹは水素を表すかまたは１−４個の炭素を有しているアルキル基を表し、Ｍ＋は例えばナトリウム、カリウムまたはアンモニウムのような一価のカチオンである。
【００３０】
更に、界面活性剤系は、第二の合成アニオン性界面活性剤、両性／双イオン性界面活性剤、非イオン性界面活性剤、カチオン性界面活性剤及びそれらの混合物から選択された１種または複数の界面活性剤を任意に含有し得る。これらは組成物の０−２５重量％、好ましくは１−１５重量％を構成し得る。
【００３１】
第二のアニオン性界面活性剤は上記に挙げた界面活性剤のいずれかでよい。
【００３２】
本発明に使用され得る両性洗浄剤は少なくとも１個の酸基を含んでいる。この酸基はカルボン酸基またはスルホン酸基でよい。これらは第四窒素を含んでおり従って第四アミド酸である。これらは一般に、炭素原子数７−１８のアルキル基またはアルケニル基を含んでいなければならない。これらは通常は全構造式：
【化２】
2004524430.tif 000003
【００３３】
によって表され、式中の、
Ｒ１は炭素原子数７−１８のアルキルまたはアルケニルを表し、
Ｒ２及びＲ３の各々は独立に、炭素原子数１−３のアルキル、ヒドロキシアルキルまたはカルボキシアルキルを表し、
ｍは２−４であり、
ｎは０−１であり、
Ｘは、場合によってはヒドロキシルで置換された炭素原子数１−３のアルキレンであり、
Ｙは−ＣＯ２−または−ＳＯ３−である。
【００３４】
上記一般式の範囲に包含される適当な両性界面活性剤としては、式：
【００３５】
【化３】
2004524430.tif 000004
の単純ベタイン、及び、式：
【００３６】
【化４】
2004524430.tif 000005
のアミドベタインがあり、式中のｍは２または３を表す。
【００３７】
双方の式中の、Ｒ１、Ｒ２及びＲ３は上記の定義と同義である。Ｒ１は特に、ココヤシに由来し、基Ｒ１の少なくとも１／２、好ましくは少なくとも３／４が１０−１４個の炭素原子を有しているようなＣ１２のアルキル基とＣ１４のアルキル基の混合物でよい。Ｒ２及びＲ３は好ましくはメチルである。
【００３８】
別の可能性としては両性界面活性剤が式：
【００３９】
【化５】
2004524430.tif 000006
2004524430.tif 000007
を有しており式中のｍが２または３を表すスルホベタインであるか、または、上記の式中の−（ＣＨ２）３ＳＯ３−が式：
【００４０】
【化６】
2004524430.tif 000008
によって置換されているスルホベタインの変種である。
これらの式中のＲ１、Ｒ２及びＲ３は上記の定義と同義である。
【００４１】
本発明の第二成分として使用され得る非イオン性界面活性剤としては特に、疎水性基と反応性水素原子とを有している化合物、例えば脂肪族のアルコール、酸、アミドまたはアルキルフェノールと、アルキレンオキシド、特にエチレンオキシド単独との反応生成物またはエチレンオキシドとプロピレンオキシドとの反応生成物である。特定の非イオン性洗浄用化合物は、アルキル（Ｃ６−Ｃ２２）フェノールエチレンオキシド縮合物、直鎖状または分枝状の第一または第二の脂肪族（Ｃ８−Ｃ１８）アルコールとエチレンオキシドとの縮合物、及び、プロピレンオキシドとエチレンジアミンとの反応生成物とエチレンオキシドとの縮合によって製造された生成物である。その他のいわゆる非イオン性洗浄用化合物としては、長鎖第三アミンオキシド、長鎖第三ホスフィンオキシド及びジアルキルスルホキシドがある。
【００４２】
非イオン性界面活性剤はまたは、多糖アミドのような糖アミドでもよい。より詳細には、該界面活性剤は、参照によって本発明に含まれるＡｕらの米国特許第５，３８９，２７９号に記載されているラクトビオンアミドの１つであってもよく、または、参照によって本出願に含まれるＫｅｌｋｅｎｂｅｒｇの米国特許第５，００９，８１４号に記載された糖アミドの１つであってもよい。
【００４３】
カチオン性洗浄剤の例は、ハロゲン化アルキルジメチルアンモニウムのような第四アンモニウム化合物である。
【００４４】
使用し得る別の界面活性剤は、Ｐａｒｒａｎ  Ｊｒ．の米国特許第３，７２３，３２５号、及び、“Ｓｕｒｆａｃｅ  Ａｃｔｉｖｅ  Ａｇｅｎｔｓ  ａｎｄ  Ｄｅｔｅｒｇｅｎｓ”（Ｖｏｌ．Ｉ  ＆  ＩＩ）にＳｃｈｗａｒｔｚ，Ｐｅｒｒｙ  ＆  Ｂｅｒｃｈによって記載されている。これらの双方の文献は参照によって本出願に含まれるものとする。
【００４５】
本発明の第二の必要成分は、５−３０重量％、好ましくは６−２５重量％の脂肪酸セッケンである。アニオン性界面活性剤の量はセッケンの量よりも多い量でなければならない。
【００４６】
本文中の“セッケン”という用語は普及した意味で使用されている。即ち、この用語は、脂肪族アルカン−またはアルケンモノカルボン酸のアルカリ金属塩またはアルカノールアンモニウム塩を表す。ナトリウム、カリウム、マグネシウム、モノ−、ジ−及びトリ−エタノールアンモニウムカチオンまたはそれらの組合せが本発明の目的に適している。一般にはナトリウムセッケンが本発明の組成物中に使用されるが、セッケンの約１％−約２５％はカリウムセッケンまたはマグネシウムセッケンでもよい。本発明に有用なセッケンは、公知のような約８−２２個の炭素原子、好ましくは約８−１８個の炭素原子を有している天然または合成の脂肪族（アルカンまたはアルケン）酸のアルカリ金属塩である。これらは、約８−約２２個の炭素原子を有しているアクリル系炭化水素のアルカリ金属カルボキシレートと記述することもできる。
【００４７】
ココヤシ油の脂肪酸分布を有しているセッケンは広い分子量範囲の下限となるであろう。落花生油もしくは菜種油またはそれらの水素化誘導体の脂肪酸分布を有しているセッケンは広い分子量範囲の上限となるであろう。
【００４８】
ココヤシ油または牛脂またはそれらの混合物は入手がより容易な脂肪に包含されるのでこれらの脂肪酸分布を有しているセッケンを使用するのが好ましい。ココヤシ油セッケン中で少なくとも１２個の炭素原子を有している脂肪酸の割合は約８５％である。ココヤシ油と牛脂、パーム油または非熱帯産木の実（ｎｏｎ−ｔｒｏｐｉｃａｌ  ｎｕｔ）の油脂のような主鎖がＣ１６以上の鎖長をもつ脂肪との混合物を使用するときには上記の割合がもっと大きい値であろう。本発明の組成物中に使用するための好ましいセッケンは、約１２−１８個の炭素原子を有している脂肪酸を少なくとも約８５％含有する。
【００４９】
セッケン用に使用されるココヤシ油の全部または一部が別の“高芳香性”油、即ち、全脂肪酸の少なくとも５０％がラウリン酸またはミリスチン酸及びそれらの混合物から構成されている油脂によって置換されてもよい。これらの油の一般的な代表例は、ココヤシ油のクラスの熱帯産の木の実（ｔｒｏｐｉｃａｌ  ｎｕｔ）の油である。これらの油としては例えば、パーム核油、ババスーヤシ油、ウリクリ（ｏｕｒｉｃｕｒｉ）油、ホシダネヤシ油、コフネヤシの実油、ムルムル油、ジャボティ（ｊａｂｏｔｙ）核油、カーン核油、ダイカナッツ油、ウクフバ（ｕｃｕｈｕｂａ）脂がある。
【００５０】
好ましいセッケンは、約３０％−約４０％のココヤシ油と約６０％−約７０％の牛脂との混合物である。混合物はまた、より多くの牛脂を含有してもよく、例えば、１５％−２０％のココヤシと８０％−８５％の牛脂とから成ってもよい。
【００５１】
セッケンは、商業的に許容される標準に従う不飽和を含有してもよい。通常は過剰の不飽和を避ける。
【００５２】
セッケンは古典的なケットル煮沸法によって製造してもよく、あるいは、牛脂またはココヤシ油のような天然油脂またはそれらと等価の材料を当業者に公知の手順を使用してアルカリ金属水酸化物で鹸化する現代的な連続セッケン製造法によって製造してもよい。あるいは、ラウリン酸（Ｃ１２）、ミリスチン酸（Ｃ１４）、パルミチン酸（Ｃ１６）またはステアリン酸（Ｃ１８）のような脂肪酸をアルカリ金属の水酸化物または炭酸塩で中和することによってセッケンを製造してもよい。
【００５３】
ヒドロキシ酸塩に関しては、本発明に使用するための適当なアルファヒドロキシ酸の上位概念的構造は以下の式で示される：
（Ｒａ）（Ｒｂ）Ｃ（ＯＨ）ＣＯＯＭ
式中の、Ｒａ及びＲｂは、Ｈ，Ｆ，Ｃｌ，Ｂｒ；飽和または不飽和の、異性または非異性の、直鎖状もしくは分枝状または環状の形態の１−２５個の炭素原子を有しているアルキル基、アラルキル基またはアリール基を表し、更に、Ｒａ及びＲｂはＯＨ、ＣＨＯ、ＣＯＯＨ及び１−９個の炭素原子をもつアルコキシ基を含み得る。アルファヒドロキシは有機塩基または無機アルカリとの塩の形態で存在する必要があり、この場合の塩は例えばナトリウムまたはカリウムである。ＲａとＲｂとが等しい基でないときは、アルファヒドロキシ酸塩はＤ、Ｌ及びＤＬ形態のような立体異性体として存在してもよい。
【００５４】
Ｒａ及びＲｂとして典型的なアルキル基、アラルキル基及びアリール基は、メチル、エチル、プロピル、イソプロピル、ブチル、ペンチル、オクチル、ラウリル、ステアリル、ベンジル及びフェニルなどである。第一グループのアルファヒドロキシ酸は、（１）アルキルアルファヒドロキシ酸、（２）アラルキル及びアリールアルファヒドロキシ酸、（３）ポリヒドロキシアルファヒドロキシ酸、及び、（４）ポリカルボキシリックアルファヒドロキシ酸に分類され得る。
【００５５】
塩を形成し得る典型的なアルキルアルファヒドロキシ酸としては、２−ヒドロキシエタン酸（グリコール酸またはヒドロキシ酢酸としても知られる）
（（Ｈ）（Ｈ）Ｃ（ＯＨ）ＣＯＯＨ）；
または、２−ヒドロキシプロパン酸（乳酸としても知られる）
（（ＣＨ２）（Ｈ）Ｃ（ＯＨ）ＣＯＯＨ）；
２−メチル、２−ヒドロキシプロパン酸（メチル乳酸）；２−ヒドロキシブタン酸、などがある。別の例は、Ｙｕらの米国特許第５，０９１，１７１号のコラム６に記載されている。該特許は参照によって本出願に含まれるものとする。
【００５６】
塩を形成し得るアラルキル及びアリールアルファヒドロキシ酸の例は、
２−フェニル２ヒドロキシエタン酸（マンデル酸）
（（Ｃ６Ｈ５）（Ｈ）Ｃ（ＯＨ）（ＣＯＯＨ）；
２，２−ジフェニル２ヒドロキシエタン酸（ベンジル酸）
（（Ｃ６Ｈ５）（Ｃ６Ｈ５）Ｃ（ＯＨ）ＣＯＯＨ）；
である。
【００５７】
別の例は、Ｙｕらの米国特許第５，０９１，１７１号のコラム６−７に記載されている。
【００５８】
塩を形成し得る別の酸は、２，３−ジヒドロキシプロパン酸（グリセリン酸）
（（ＨＯＣＨ２）（Ｈ）Ｃ（ＯＨ）ＣＯＯＨ）；
のようなポリヒドロキシアルファヒドロキシ酸、及び、２−ヒドロキシプロパン−１，３−二酸（タルトロン酸）
（ＨＯＯＣ（Ｈ）Ｃ（ＯＨ）ＣＯＯＨ）
のようなポリカルボンアルファヒドロキシ酸である。
【００５９】
これらの別の例もまたＹｕらの米国特許第５，０９１，１７１号に記載されている。
【００６０】
β−ヒドロキシ酸塩の例としてはサリチル酸ナトリウムまたはサリチル酸カリウムがある。
【００６１】
本発明によれば、これらのヒドロキシ酸塩が２０％までのレベル、より好ましくは少なくとも３％−１５％のレベルで混和され得る。従来はこのような多量のヒドロキシ酸塩を棒状材料に混和することは極めて難しいかまたは可能でないと考えられていた。その理由は、ヒドロキシ酸塩がアニオン性界面活性剤と反応して高い液体対固体比を生じるからであると考えているが、この考え方に固執するつもりはない。その結果として、例えば、押出棒状材料の製造中に粘着性が生じたり、または、注型された溶融棒状材料中で相分離が生じたりする。適当な構造化剤が存在しないときにこのような高レベルのヒドロキシ酸を棒状材料に混和させることは容易には実現できなかった。
【００６２】
棒状材料相は更に、１−３０重量％、好ましくは２−２５重量％の不活性充填剤、特にカルサイト充填剤（例えばＣａＣＯ３）を含む。
【００６３】
カルサイトをヒドロキシ酸塩と共に使用し充填剤対ヒドロキシ酸塩の比を特定の値（例えば、０．７５：１−２：１）にするとき、押出適性と品質性能とによって測られる加工性が向上した棒状材料が形成されることが予想外にも知見された。
【００６４】
組成物は有益物質を任意成分として含有し得る。有益物質は“皮膚緩和性油”でもよい。この用語は、皮膚の含水量を増加させることによって皮膚（角質層）を柔軟化し、含水量の減少を遅らせることによって皮膚を柔軟に維持する物質を意味する。
【００６５】
好ましい皮膚緩和剤を以下に挙げる：
（ａ）シリコーン油、ガム及びそれらの改良種、例えば、線状及び環状のポリジメチルシロキサン；アミノ、アルキル、アルキルアリール及びアリールシリコーン油；
（ｂ）油脂、例えば、ホホバ油、ダイズ油、米ヌカ油、アボカド油、アーモンド油、オリーブ油、ゴマ油、ヒマワリ油、タデ油、ヒマシ油、ココヤシ油、ミンク油；カカオ脂；牛脂、豚脂のような天然油脂；上記油を水素化することによって得られる硬化油；及び、ミリスチン酸グリセリド及び２−エチルヘキサン酸グリセリドのような合成のモノ−、ジ−及びトリグリセリド類；
（ｃ）カルナバ蝋、鯨蝋、蜜蝋、ラノリン及びその誘導体のような蝋；
（ｄ）疎水性植物エキス；
（ｅ）液体パラフィン、ワセリン、マイクロクリスタリンワックス、セレシン、スクアレン、プリスタン及び鉱油のような炭化水素；
（ｆ）ラウリン酸、ミリスチン酸、パルミチン酸、ステアリン酸、ベヘン酸、オレイン酸、リノール酸、リノレン酸、ラノリン酸、イソステアリン酸及びポリ不飽和脂肪酸（ＰＵＦＡ）のような高級脂肪酸；
（ｇ）ラウリル、セチル、ステアリル、オレイル、ベヘニル、コレステロール及び２−ヘキシデカノールアルコールのような高級アルコール類；
（ｈ）セチルオクタノエート、ミリスチルラクテート、セチルラクテート、イソプロピルミリステート、ミリスチルミリステート、イソプロピルパルミテート、イソプロピルアジペート、ブチルステアレート、デシルオレエート、コレステロールイソステアレート、グリセリルモノステアレート、グリセロールジステアレート、グリセロールトリステアレート、アルキルラクテート、アルキルシトレート及びアルキルタータレートのようなエステル類；
（ｉ）シソ、ジャスミン油、ショウノウ油、ベイヒ、橙皮、リュー（ｒｙｕ）、テレビン油、桂皮油、ベルガモット油、温州ミカン、ショウブ、マツ根油、ラベンダー油、ゲッケイジュ油、チョウジ油、ヒバ（ｈｉｂａ）、ユーカリ油、レモン油、オーニソガラム（ｓｔａｒｆｌｏｗｅｒ）、タイム、ハッカ油、バラ油、セージ、メンソール、シネオール、オイゲノール、シトラール、シトロネル、ボルネオール、リナロール、ゲラニオール、オオマツヨイグサ、カンフル、チモール、スピラントール、ペネン、リモネン及びテルペノイド油のような精油；
（ｊ）欧州特許第５５６，９５７号明細書に記載されているようなコレステロール、セラミド、ショ糖エステル及びプソイドセラミドのような脂質；
（ｋ）ビタミンＡ及びＥのようなビタミン類、ビタミンＣアルキルエステルのようなビタミンアルキルエステル類；
（ｌ）オクチルメトキシルシンナメート（Ｐａｒｓｏｌ  ＭＣＸ）及びブチルメトキシベンゾイルメタン（Ｐａｒｓｏｌ  １７８９）のような日光遮断剤；
（ｍ）リン脂質；及び、
（ｎ）上記成分のいずれかの混合物。
【００６６】
その他の好ましい任意成分、特に好ましい実施態様としては、例えば、Ｐａｒｓｏｌ  ＭＣＸ（Ｒ）、Ｅｕｓｏｌｅｘ（Ｒ）及びＯｃｔｏｃｒｙｌｅｎｅのような日光遮断剤を使用するのが望ましい。
【００６７】
更に、本発明の組成物は以下のような任意成分を含有し得る：エタノールのような有機溶媒；カルボキシメチルセルロース、ケイ酸アルミニウムマグネシウム、ヒドロキシエチルセルロース、メチルセルロース、カルボポル、グルカミドまたはＲｈｏｎｅ  Ｐｏｕｌｅｎｃ社のＡｎｔｉｌ（Ｒ）のような補助増粘剤；香料；０．０１−１％、好ましくは０．０１−０．０５％の量で含まれるエチレンジアミン四酢酸四ナトリウム（ＥＤＴＡ）、ＥＨＤＰまたはそれらの混合物のような金属イオン封鎖剤；ステアリン酸亜鉛、ステアリン酸マグネシウム、ＴｉＯ２、ＥＧＭＳ（エチレングリコールモノステアレート）またはＬｙｔｒｏｎ  ６２１（スチレン／アクリレートコポリマー）のような着色剤、乳白剤及び真珠光沢剤。これらの成分はいずれも、製品の外観または化粧的特性を向上させるために有効である。
【００６８】
組成物は更に、２−ヒドロキシ−４，２'，４'トリクロロジフェニルエーテル（ＤＰ３００）のような抗菌剤；ジメチロールジメチルヒダントイン（Ｇｌｙｄａｎｔ  ＸＬ１０００）、パラベン、ソルビン酸などのような保存剤を含み得る。
【００６９】
組成物はまた、起泡増進剤としてココヤシアシルモノ−またはジエタノールアミドを含んでもよく、塩化ナトリウム及び硫酸ナトリウムのような強イオン性の塩も有利に使用し得る。
【００７０】
例えば、ブチル化ヒドロキシトルエン（ＢＨＴ）のような抗酸化剤も約０．０１％またはそれ以上の量で適宜使用するのが有利であろう。
【００７１】
使用し得るカチオン性コンディショナーとしては、Ｑｕａｔｒｉｓｏｆｔ  ＬＭ−２００ポリクアテルニウム−２４、Ｍｅｒｑｕａｔ（Ｒ）−ポリマー；及びＲｈｏｎｅ−Ｐｏｕｌｅｎｃ社のＪａｇｕａｒ（Ｒ）銘柄のコンディショナー；及びＡｌｌｉｅｄ  Ｃｏｌｌｏｉｄｓ社のＳａｌｃａｒｅ（Ｒ）銘柄のコンディショナーがある。
【００７２】
使用し得るポリエチレングリコールを以下に挙げる：
Ｐｏｌｙｏｘ    ＷＳＲ−２０５        ＰＥＧ  １４Ｍ、
Ｐｏｌｙｏｘ    ＷＳＲ−Ｎ−６０Ｋ    ＰＥＧ  ４５Ｍ、または、
Ｐｏｌｙｏｘ    ＷＳＲ−Ｎ−７５０    ＰＥＧ  ７Ｍ。
ＰＥＧは、例えばＵｎｉｏｎ  Ｃａｒｂｉｄｅによって商標ＣＡＲＢＯＷＡＸ  ＳＥＮＴＲＹ（Ｒ）で市販されているような３００−１０，０００ドルトンの範囲の分子量をもつＰＥＧである。
【００７３】
含有され得る別の成分は、ポリオキシエチレンビーズ、クルミ殻及びアプリコット種子のような皮膚剥脱剤である。
【００７４】
本発明の構造化剤は水溶性構造化剤でもよくまたは水不溶性構造化剤でもよい。
【００７５】
水溶性構造化剤としては、適正な融点（例えば、４０℃−１００℃、好ましくは５０℃−９０℃）を有している適度に高い分子量のポリアルキレンオキシド、特に、ポリエチレングリコールまたはそれらの混合物である。
【００７６】
使用されるポリエチレングリコール（ＰＥＧ）は２，０００−２５，０００、好ましくは３，０００−１０，０００の範囲の分子量を有していればよい。しかしながら、本発明の幾つかの実施態様では、５０，０００−５００，０００の範囲の分子量、特に約１００，０００の分子量をもつポリエチレングリコールをかなり少ない量で含有させるのが好ましい。このようなポリエチレングリコールは棒状材料の摩耗速度を改善することが知見された。その理由は、使用中に棒状組成物を濡らしたときであってもポリエチレングリコールの長い重合鎖が交絡状態で維持されるからであると考えられる。
【００７７】
このような高分子量ポリエチレングリコール（あるいは、別の何らかの水溶性高分子量ポリアルキレンオキシド）を使用する場合、その量は、組成物の好ましくは１重量％−５重量％、より好ましくは１重量％から１．５重量％−４重量％または４．５重量％の範囲である。これらの材料は一般に、大量の別の水溶性構造化剤、例えば、２，０００−２５，０００、好ましくは３，０００−１０，０００の分子量をもつ上述のようなポリエチレングリコールと共に使用されるであろう。
【００７８】
水不溶性構造化剤はまた、４０−１００℃の範囲、より好ましくは少なくとも５０℃、特に５０℃−９０℃の範囲の融点を有している。特に考察される適当な材料は脂肪酸、特に１２−２４個の炭素原子を含む炭素鎖を有している脂肪酸である。実例は、ラウリン酸、ミリスチン酸、パルミチン酸、ステアリン酸、アラキジン酸及びベヘン酸及びそれらの混合物である。これらの脂肪酸のソースは、ココヤシ、トップト（蒸留して軟質部分を除いた）ココヤシ、ヤシ、ヤシの実の核、ババスーヤシ及び牛脂の脂肪酸、並びに、部分硬化または完全硬化した脂肪酸または蒸留脂肪酸である。
【００７９】
その他の適当な水不溶性構造化剤としては８−２０炭素原子のアルカノール、特にセチルアルコールがある。これらの材料は一般に２０℃で５ｇ／リットル未満の水溶解度を有している。別の構造化剤としては、タルク、デンプン（例えば、マルトデキストリン）またはクレーのような微粒状固体がある。
【００８０】
水溶性構造化剤と水不溶性構造化剤との相対的割合が使用中の棒状製品の摩耗速度を左右する。水不溶性構造化剤の存在は、使用中に水に接触した棒状製品の溶解を遅らせる傾向を有しており、従って、摩耗速度を遅くする。
【００８１】
最後に、本発明の棒状組成物は約１−１５重量％、好ましくは２−１２重量％、より好ましくは３−１２重量％の水を含む。
【００８２】
本発明の棒状組成物は典型的には約６−８、好ましくは約７以上のｐＨを有している。
【００８３】
本発明の組成物を形成するために使用し得る方法によれば、ミキサーを約７１℃に予熱し、遊離脂肪酸（パルミチン酸／ステアリン酸）を導入して溶融させる。配合物がステアリン酸ナトリウムを含むときはこの時点でＮａＯＨを添加してパルミチン／ステアリン酸の一部から“ステアリン酸塩”（実際にはパルミチン酸塩／ステアリン酸塩）をｉｎ  ｓｉｔｕで形成させる。ステアリン酸塩を脂肪酸に確実に溶解させるためにミキサー温度を約８２℃に上昇させる。
【００８４】
両性界面活性剤を使用するときは次に両性界面活性剤（例えば、ベタイン）を添加し、次いでヒドロキシ酸塩（例えば、乳酸ナトリウム）を添加する。ミキサー温度が急激に下降し、ベタインとステアリン酸塩とパルミチン／ステアリン酸と乳酸塩とがゼリー状の単一の凝集塊を形成する。ミキサー温度が上昇を再開するに伴って、ＤＥＦＩ、セッケン、充填剤及び微量成分を１時間にわたって徐々に添加し、バッチを約８８℃の温度で混練する。全成分が完全に混合したとき、バッチを真空下で目標水分レベルまで乾燥し、ミキサーから取り出す。
【００８５】
できるだけ褪色が生じないようにバッチを取り出す直前にヒマワリ油を添加してもよい。
【００８６】
バッチを取り出した後、１４℃に設定した冷却ロールに通し、望ましくは脆性チップの形態で袋に収集する。しかしながら、乳酸ナトリウムを含有する配合物はしばしば、冷却ロールから離れたときに大きいゴム状シートの形態となる。ゴム状シートは、通常は２−３日間の保管後に脆性になる。この時点でチップに香料を加え、３．５ｃｍ直径の圧出機（例えば、Ｗａｔｅｒ  Ｓｅｅｌａｎｄｅｒ圧出機）に通し、棒状に打抜く。
【００８７】
上述の方法が普遍的なホットミックス法であることに注目されたい。配合物の特性は個々の処理条件（添加順序、混練時間、温度）に左右されない。また、本発明をこのような方法に制約することは本意ではなく、また、制約すると解釈されることも本意ではない。
【００８８】
処理実施例及び比較実施例を除いて、または、そうではないと明白に指示されている場合を除いて、材料の量または比、反応条件、材料の物理的特性及び／または使用を指示する本明細書中のすべての数値は“約”という用語で修飾されることを理解されたい。
【００８９】
本明細書に使用されている“から成る”という用語は、記述した特徴、整数、段階、成分の存在を包含するが１つまたは複数の特徴、整数、段階、成分またはそれらのグループの存在または付加を排除しないことを意味する。
【００９０】
以下の実施例の目的は、本発明をより詳細に説明することであり、本発明をどのようにも限定することではない。
【００９１】
異なる指示がない限り、すべてのパーセンテージは重量パーセンテージを意味する。水溶液（例えば、乳酸ナトリウム、イセチオン酸ナトリウム、ベタイン）として供給されるとき、パーセンテージは１００％有効成分を基準とする。
【実施例】
【００９２】
特定したヒドロキシ酸塩対充填剤の比の範囲を使用する利点を示すために、出願人らは以下の実施例を調製した。
【００９３】
【表１】
2004524430.tif 000009
【００９４】
充填剤または乳酸塩を含まない配合物（基底組成物）は極めて硬質で圧出が容易であった。しかしながら、８％の乳酸ナトリウムを使用すると（比較例Ａ）、配合物は軟質で粘着性になり、実質的に加工不適正になった。その理由は、アルファヒドロキシ酸塩の向水性効果が液体成分のパーセントを増加させるように作用するからであろうと推測される。１２％のカルサイトの添加は反対の効果を有していた（比較例Ｂ）。この配合物は極めて砕け易く、凝集性ビレットを形成できなかった。
【００９５】
乳酸ナトリウムの添加量とカルサイトの添加量とを調整することによって加工適正な配合物が得られるに違いないと仮定した。適正な調整は実施例１の配合物で実現した。この配合物は、７％のカルサイトと８％の乳酸ナトリウムとを含有し、冷却ロールにおいても圧出機を通るときにも卓越した加工適性を示した。
【００９６】
実施例２は、消費者に付加的な効果を与える任意の皮膚有益物質（例えば、ヒマワリ種油）を添加した実施例１の変形であった。ヒマワリ種油は棒状材料をやや軟化させ、泡量を減少させた。また、実験室圧出機における圧出性がやや悪化した（例えば、棒状材料がやや軟化した）。
【００９７】
実施例１の配合物は幾つかの欠点も有していた。この配合物は摩擦抵抗性であり、砂利の混ざったような感触になり易かった。このような感触の原因がステアリン酸ナトリウム成分であることはステアリン酸塩を除去するという簡単な方法で確認された（実施例３）。実施例３では砂利の混ざったような感触は減ったが、いっそう軟質で粘着性であり加工し難くなっていた。実施例４は実施例１に基づくが４％でなく２％のステアリン酸塩を含有するように製造した。組成物の加工適性は実施例３よりも優れていたが実施例１よりも劣っていた。
【００９８】
これらの変化はあったにしても、本発明のすべての棒状材料（ヒドロキシ酸及び充填剤の双方を含有）は加工適正であり、明らかに過度に液状でもなく過度に砕け易くもなかった。
【００９９】
実施例は、ヒドロキシ酸塩を含有する棒状材料を加工するためにある程度の充填剤が必要であること、しかし、棒状材料が過度に砕け易くならないことを確保するためにはヒドロキシ酸塩対充填剤の比があるレベルでなければならないことをはっきりと示す。即ち、本発明の棒状材料は、押出に必要な“可塑性”を有している。該材料は、過度に軟質でも粘着性でもなく、過度に硬質でも脆性でもなく、砕け易くもない。
【国際公開パンフレット】
2004524430.tif 000010
2004524430.tif 000011
2004524430.tif 000012
2004524430.tif 000013
2004524430.tif 000014
2004524430.tif 000015
2004524430.tif 000016
2004524430.tif 000017
2004524430.tif 000018
2004524430.tif 000019
2004524430.tif 000020
2004524430.tif 000021
2004524430.tif 000022
2004524430.tif 000023
2004524430.tif 000024
2004524430.tif 000025
2004524430.tif 000026
2004524430.tif 000027
2004524430.tif 000028
2004524430.tif 000029
2004524430.tif 000030
2004524430.tif 000031
2004524430.tif 000032
2004524430.tif 000033
2004524430.tif 000034
2004524430.tif 000035
2004524430.tif 000036
2004524430.tif 000037
2004524430.tif 000038
2004524430.tif 000039
【手続補正書】
【提出日】平成15年1月29日(2003.1.29)
【手続補正１】
【補正対象書類名】特許請求の範囲
【補正対象項目名】全文
【補正方法】変更
【補正の内容】
【特許請求の範囲】
【請求項１】
（ａ）１０−７０重量％のアニオン性界面活性剤と、
（ｂ）５−３０重量％の脂肪酸セッケンと、
（ｃ）２−２０重量％のヒドロキシ酸塩であって、以下の一般構造式：
（Ｒａ）（Ｒｂ）Ｃ（ＯＨ）ＣＯＯＭ
［式中の、Ｒａ及びＲｂは、Ｈ，Ｆ，Ｃｌ，Ｂｒ；飽和または不飽和の、異性または非異性の、直鎖状もしくは分枝状または環状の形態の１−２５個の炭素原子を有しているアルキル基、アラルキル基またはアリール基を表し、更に、Ｒａ及びＲｂはＯＨ、ＣＨＯ、ＣＯＯＨ及び１−９個の炭素原子をもつアルコキシ基を含み得；Ｍは有機塩基または無機アルカリである。］
のものから成り、
実験室規模の押出機において少なくとも１５０グラム／分の速度で棒状材料の押出ができること、及び、カルサイト充填剤対ヒドロキシ酸塩の比が０．７５：１−２：１となるような十分なカルサイト充填剤が棒状材料に含まれていることを特徴とする棒状組成物。
【請求項２】
１５−４５％のアニオン性界面活性剤を含むことを特徴とする請求項１に記載の棒状組成物。
【請求項３】
６−２５％の脂肪酸セッケンを含むことを特徴とする請求項１または２に記載の棒状組成物。
【請求項４】
ヒドロキシ酸塩がアルファまたはベータヒドロキシ酸塩であることを特徴とする請求項１から３のいずれか一項に記載の棒状組成物。
【請求項５】
カルサイト充填剤対ヒドロキシ酸塩の比が０．８０：１−２：１であることを特徴とする請求項１から４のいずれか一項に記載の棒状組成物。
【手続補正２】
【補正対象書類名】明細書
【補正対象項目名】０００７
【補正方法】変更
【補正の内容】
【０００７】
出願人らはまた、ヒドロキシ酸または塩を含有する配合物の材料特性を修正することに関する幾つかの特許を出願した。本願と同日に出願したＦａｉｒらの同時係属出願（米国特許出願第０９／８３７０１０号）において出願人らは、比較的高いレベルのヒドロキシ酸及び／または塩を合成界面活性組成物に混和することを開示している。




【国際調査報告】
2004524430.tif 000040
2004524430.tif 000041
2004524430.tif 000042
2004524430.tif 000043